(57)【要約】【課題】コンクリート基礎とコンクリート台との境界部における隙間やひび割れの発生を防止することができる、コンクリート基礎に付設のコンクリート台、及び、そのための施工を容易に行うことができる方法を提供する。【解決手段】コンクリート基礎１に、該コンクリート基礎１の中間高さ位置を上端高さ位置とするコンクリート台２が付設され、コンクリート基礎１のコンクリート１ａと、コンクリート台２のコンクリート２ａとが、それらコンクリート１ａ，２ａに埋込み状態にされ、コンクリート基礎１の高さ方向中間部位置からコンクリート台２のコンクリート２ａ中に延ばされた連結用の補強筋３で連結されている。補強筋３はコンクリート基礎１の形成において基礎型枠５の内面部にテープ６でカバーして止め付けておく。【選択図】      図１
2006097373.tif 000002
【特許請求の範囲】
【請求項１】
コンクリート基礎に、該コンクリート基礎の中間高さ位置を上端高さ位置とするコンクリート台が付設され、コンクリート基礎のコンクリートと、コンクリート台のコンクリートとが、それらコンクリートに埋込み状態にされ、コンクリート基礎の高さ方向中間部位置からコンクリート台のコンクリート中に延ばされた連結用の補強筋で連結されていることを特徴とするコンクリート基礎に付設のコンクリート台。
【請求項２】
コンクリート基礎成形用の型枠の設置に際して、型枠内にコンクリート台連結用の屈曲可能な補強筋を、その基端側が基礎側コンクリートに埋込み状態となるように配設すると共に、補強筋の先端側を型枠の内面部にカバーで覆って止め付けた後、
型枠内にコンクリートを補強筋が埋込み状態となるように打ち込み、養生硬化後、脱型して、補強筋の先端側を基礎コンクリートの高さ方向中間部から引き出し可能にし、しかる後、
形成しようとするコンクリート台の側に前記補強筋を延ばし、該補強筋をコンクリート台のコンクリート中に埋込み状態となるようにコンクリートを打ち込んで、基礎のコンクリートとコンクリート台のコンクリートとを補強筋で連結することを特徴とするコンクリート基礎に付設のコンクリート台の施工方法。
【請求項３】
コンクリート基礎成形用の型枠の設置に際して、型枠内にコンクリート台連結用の屈曲可能な補強筋を、その基端側が基礎側コンクリートに埋込み状態となるように配設すると共に、補強筋の中間部を型枠の内面部にコンクリートの打込み高さ位置よりも下からコンクリートの打込み高さ位置ないしはそれを越える高さ位置までの範囲をカバーで覆って止め付け、かつ、補強筋の先端側をコンクリートの打込み高さ位置を越えた上方に導出させた状態にした後、
型枠内にコンクリートを補強筋がその先端側を除いて埋込み状態となるように打ち込み、養生硬化後、脱型して、補強筋の先端側と中間部を基礎コンクリートの高さ方向中間部から引き出し可能にし、しかる後、
形成しようとするコンクリート台の側に前記補強筋を延ばし、該補強筋をコンクリート台のコンクリート中に埋込み状態となるようにコンクリートを打ち込んで、基礎のコンクリートとコンクリート台のコンクリートとを補強筋で連結することを特徴とするコンクリート基礎に付設のコンクリート台の施工方法。
【発明の詳細な説明】
【技術分野】
【０００１】
本発明は、コンクリート基礎に付設のコンクリート台及びその施工方法に関する。
【背景技術】
【０００２】
例えば、図７に示すように、住宅用の戸建て建物の勝手口などに、コンクリート基礎５１の天面高さ位置よりも低い高さのコンクリート台５２をコンクリート基礎５１に付設して設ける場合、従来は、その施工は、基礎型枠を用いてコンクリート基礎５１を形成した後、コンクリート台５２を形成する部分に、コンクリート基礎５１とコンクリートブロック５３…で囲まれた凹所を形成し、該凹所内に土等を入れ、配筋してコンクリート５２ａを打つというようにして行われていた。
【発明の開示】
【発明が解決しようとする課題】
【０００３】
しかしながら、上記のようにして形成されたコンクリート台５２について、図７に示すように、コンクリート台５２の天面コンクリート部５２ａと、基礎コンクリート５１との間の境界部Ａに、隙間を生じたり、ひび割れを生じたりすることがあった。
【０００４】
本発明は、上記のような問題点に鑑み、コンクリート基礎とコンクリート台との境界部における隙間やひび割れの発生を防止することができる、コンクリート基礎に付設のコンクリート台、及び、そのための施工を容易に行うことができる方法を提供することを課題とする。
【課題を解決するための手段】
【０００５】
上記の課題は、コンクリート基礎に、該コンクリート基礎の中間高さ位置を上端高さ位置とするコンクリート台が付設され、コンクリート基礎のコンクリートと、コンクリート台のコンクリートとが、それらコンクリートに埋込み状態にされ、コンクリート基礎の高さ方向中間部位置からコンクリート台のコンクリート中に延ばされた連結用の補強筋で連結されていることを特徴とするコンクリート基礎に付設のコンクリート台によって解決される。
【０００６】
このコンクリート台では、コンクリート基礎のコンクリートと、コンクリート台のコンクリートとが、それらコンクリートに埋込み状態にされた連結用の補強筋で連結され、しかも、その連結は、コンクリート基礎の高さ方向中間部位置からコンクリート台のコンクリート中に延ばされた補強筋で行われているので、補強筋によってコンクリート基礎とコンクリート台との境界部における隙間やひび割れの発生を確実に防ぐことができる。
【０００７】
ところで、補強筋をコンクリート基礎の高さ方向中間部位置からコンクリート台のコンクリート側に延ばすことは、コンクリート基礎がプレキャストコンクリート材からなる場合は容易であるが、コンクリート基礎を型枠を用いて形成する場合には、型枠が補強筋をコンクリート台の側に延ばす妨げになってしまう。そこで、本発明では、次のような施工方法を採用した。
【０００８】
即ち、コンクリート基礎成形用の型枠の設置に際して、型枠内にコンクリート台連結用の屈曲可能な補強筋を、その基端側が基礎側コンクリートに埋込み状態となるように配設すると共に、補強筋の先端側を型枠の内面部にカバーで覆って止め付けた後、
型枠内にコンクリートを補強筋が埋込み状態となるように打ち込み、養生硬化後、脱型して、補強筋の先端側を基礎コンクリートの高さ方向中間部から引き出し可能にし、しかる後、
形成しようとするコンクリート台の側に前記補強筋を延ばし、該補強筋をコンクリート台のコンクリート中に埋込み状態となるようにコンクリートを打ち込んで、基礎のコンクリートとコンクリート台のコンクリートとを補強筋で連結することを特徴とするコンクリート基礎に付設のコンクリート台の施工方法である。
【０００９】
この施工方法によれば、補強筋の先端側は、型枠の内面側、即ち、コンクリート基礎の外面部に存在し、しかも、同先端側の背面部にはカバーが存在しているので補強筋の先端側と基礎コンクリートとが付着してしまうこともなく、そのため、脱型後、補強筋の先端側をコンクリート基礎の高さ方向中間部から側方に引き出すことができ、基礎コンクリートとコンクリート台のコンクリートとをコンクリート基礎の中間高さ位置において補強筋で連結することができる。
【００１０】
しかも、補強筋の先端側を型枠の内面部にカバーで覆って止め付けるようにするだけでよいので、施工も容易に行うことができる。
【００１１】
また、本発明は、コンクリート基礎成形用の型枠の設置に際して、型枠内にコンクリート台連結用の屈曲可能な補強筋を、その基端側が基礎側コンクリートに埋込み状態となるように配設すると共に、補強筋の中間部を型枠の内面部にコンクリートの打込み高さ位置よりも下からコンクリートの打込み高さ位置ないしはそれを越える高さ位置までの範囲をカバーで覆って止め付け、かつ、補強筋の先端側をコンクリートの打込み高さ位置を越えた上方に導出させた状態にした後、
型枠内にコンクリートを補強筋がその先端側を除いて埋込み状態となるように打ち込み、養生硬化後、脱型して、補強筋の先端側と中間部を基礎コンクリートの高さ方向中間部から引き出し可能にし、しかる後、
形成しようとするコンクリート台の側に前記補強筋を延ばし、該補強筋をコンクリート台のコンクリート中に埋込み状態となるようにコンクリートを打ち込んで、基礎のコンクリートとコンクリート台のコンクリートとを補強筋で連結することを特徴とするコンクリート基礎に付設のコンクリート台の施工方法も含む。
【００１２】
この施工方法では、補強筋の長さが長いような場合であっても、カバーで覆われた部分が基礎コンクリートの側に膨らんで突出するのを小さく抑えることができるのみならず、補強筋の先端がフリーであることによって、脱型後に補強筋をコンクリート基礎の側から引き出して、コンクリート台の側に延ばす作業を容易に行うことができる。もちろん、補強筋の中間部を型枠の内面部にカバーで覆って止め付け、補強筋の先端側を上方に延ばすだけでよいので、施工も容易に行うことができる。
【発明の効果】
【００１３】
本発明は、以上のとおりのものであるから、コンクリート基礎とコンクリート台との境界部における隙間やひび割れの発生を防止することができる。また、コンクリート基礎が型枠を用いて現場で形成されるものであっても、施工を容易に行うことができる。
【発明を実施するための最良の形態】
【００１４】
次に、本発明の実施最良形態を図面に基づいて説明する。
【００１５】
図１（イ）に示す実施形態のコンクリート基礎に付設のコンクリート台において、１はコンクリート基礎、２はコンクリート台である。コンクリート基礎１は、型枠を用いて現場でコンクリートを打って形成された現場打ちコンクリートの布基礎からなっている。また、コンクリート台２は、勝手口やテラス等に備えられるもので、コンクリート基礎１に付設され、その上面高さ位置は、コンクリート基礎１の天面高さ位置よりも低く設定されている。
【００１６】
そして、コンクリート基礎１のコンクリート１ａと、コンクリート台２のコンクリート２ａとは、それらコンクリート１ａ，２ａに埋込み状態にされ、コンクリート基礎１の高さ方向中間部位置からコンクリート台２のコンクリート２ａ中に延ばされた連結用の補強筋３で連結されている。４は基礎用の鉄筋である。
【００１７】
これにより、補強筋３によって、コンクリート基礎１のコンクリート１ａと、コンクリート台２のコンクリート２ａとがしっかりと連結され、コンクリート基礎１とコンクリート台２との境界部における隙間やひび割れの発生を確実に防ぐことができる。
【００１８】
上記のような補強筋３による連結状態を実現するため、本実施形態では、補強筋３として、屈曲可能な補強筋、例えば、炭素やガラス繊維からなる面状材や線状材、格子状面状材を用いる。そして、図２（イ）（ロ）に示すように、コンクリート基礎成形用の型枠５，５を設置する際に、型枠５，５内に上記のような屈曲可能な補強筋３を、その基端側が基礎側コンクリートの内部側に埋込み状態となるように、基礎用鉄筋４…等に掛けるなどの方法により配設すると共に、補強筋３の先端側を、コンクリート台を設ける側の型枠５の内面部にカバーとしての養生テープなどの剥がし容易な粘着テープ６で覆って止め付ける。
【００１９】
その状態で、図３（イ）（ロ）に示すように、型枠５，５内に生コンクリート１ａを補強筋３とテープ６が埋込み状態となるように打ち込む。補強筋３の先端側はテープ６でカバーされているので、テープ６の内側の補強筋３の量が少ないときは、生コンクリート１ａからの側圧を受けてテープ６と補強筋３とは更に扁平化され、コンクリート側のくぼみは小さくなる。
【００２０】
そして、養生硬化後、脱型すれば、図４（イ）（ロ）に示すように、テープ６と補強筋３の先端側とはコンクリート基礎１の側面部に露出した状態となっていて、テープ６を下から引き剥がすようにすれば、それに追従して補強筋３の先端側もコンクリート基礎１の側面部から剥がされ、補強筋３を、図１（ロ）に示すように、コンクリート基礎１の高さ方向中間部から引き出した状態にすることができる。
【００２１】
しかる後、図５（イ）に示すように、コンクリート台付設のため、コンクリートブロック７…を積み、内部に土等の埋戻し材８を入れ、配筋後、上記の補強筋３の先端側を、形成しようとするコンクリート台の側に延ばして引張り状態にし、図５（ロ）に示すように、補強筋３がコンクリート台２のコンクリート２ａ中に埋込み状態となるように生コンクリート２ａを打ち込んで、該コンクリートを養生硬化させる。これにより、図１（イ）に示すように、基礎１のコンクリート１ａとコンクリート台２のコンクリート２ａとがコンクリート基礎１の中間高さ位置において補強筋３で連結された状態が形成される。
【００２２】
図６（イ）（ロ）に示す施工方法は、コンクリート基礎成形用の型枠５，５を設置する際に、型枠５，５内に補強筋３を、その基端側が基礎側コンクリートに埋込み状態となるように配設すると共に、補強筋３の中間部を型枠５の内面部にコンクリートの打込み高さ位置ｈよりも下の部分からコンクリートの打込み高さ位置ｈないしはそれを越える高さ位置までの範囲をテープ６でカバーして止め付け、補強筋３の先端側をコンクリートの打込み高さ位置ｈを越えた上方に導出させた状態にする。本実施形態では、補強筋３の中間部を、一旦下方に折り、そして上方に返す、というようにして上方に導出されており、上下を分けてテープ６を止め付けるようにしている。これにより、基礎用の生コンクリートが補強筋３と型枠５の内面部との間に入り込んでしまうのをうまい具合に防ぐことができる。あとは、上記の方法と同様に、型枠５，５内に生コンクリートを打ち、養生硬化後、脱型すれば、補強筋３は、その上端部をもって、コンクリート台を形成する側に引っ張れば、図１（ロ）に示すように、補強筋３をコンクリート基礎１の高さ方向中間部から側方に延ばした状態にすることができる。この方法は、補強筋３の長さが長いような場合に有効的に用いることができる。
【００２３】
こうして、上記のいずれの施工方法によっても、コンクリート基礎１の高さ方向中間部位置からコンクリート台２のコンクリート２ａ中に延ばされた補強筋で、コンクリート基礎１のコンクリート１ａとコンクリート台２のコンクリート２ａとを連結した状態を、施工容易に形成することができる。
【００２４】
以上に、本発明の実施形態を示したが、本発明はこれに限られるものではなく、発明思想を逸脱しない範囲で各種の変更が可能である。例えば、上記の各施工方法では、カバーとしてテープを用いた場合を示したが、他のものであってもよい。
【００２５】
また、本発明のコンクリート基礎に付設のコンクリート台は、コンクリート基礎が、補強筋を埋込み状態にして外に突出させてプレキャストコンクリート材を用いて形成されたものであってもよく、その場合であっても、コンクリート基礎のコンクリートとコンクリート台のコンクリートとを、コンクリート基礎の高さ方向中間部において補強筋で連結して、それらの境界部における隙間やひび割れの発生を防ぐことができる。
【図面の簡単な説明】
【００２６】
【図１】図（イ）は実施形態のコンクリート基礎に付設のコンクリート台を示す断面側面図、図（ロ）はコンクリート台成形前のコンクリート基礎の断面側面図である。
【図２】コンクリート台の施工方法を図３及び図４と共に示すもので、図（イ）は断面側面図、図（ロ）は要部拡大図である。
【図３】コンクリート台の施工方法を図２及び図４と共に示すもので、図（イ）は断面側面図、図（ロ）は要部拡大図である。
【図４】コンクリート台の施工方法を図２及び図３と共に示すもので、図（イ）は断面側面図、図（ロ）は要部拡大図である。
【図５】図（イ）はコンクリート台にコンクリートを打つ前の状態を示す断面側面図、図（ロ）は打った後の断面側面図である。
【図６】他の施工方法を示すもので、図（イ）は断面側面図、図（ロ）は要部拡大図である。
【図７】コンクリート基礎に付設のコンクリート台の従来の一般例を示す斜視図である。
【符号の説明】
【００２７】
１…コンクリート基礎
１ａ…コンクリート
２…コンクリート台
２ａ…コンクリート
３…補強筋
５…型枠
６…テープ（カバー）
【図１】
2006097373.tif 000003
【図２】
2006097373.tif 000004
【図３】
2006097373.tif 000005
【図４】
2006097373.tif 000006
【図５】
2006097373.tif 000007
【図６】
2006097373.tif 000008
【図７】
2006097373.tif 000009